(57)【特許請求の範囲】
【請求項１】
細長形状の板状体の前端側にライン孔を有し、後端側にフック孔を有する釣用ルアーであって、
前記ライン孔および前記フック孔は前記板状体の長手方向中心線上に形成され、
前記板状体は、前記板状体が厚み方向の一方に湾曲した膨らみを有し、前記膨らみの最も膨らんだ部分が前記長手方向中心線上の前端寄りに位置するとともに、前端から後端に向かうに従い幅が縮小し、
さらに前記板状体の前端側が厚み方向で前記膨らみのある側と同一方向に折り曲げられた一対の突起部を備え、
前記突起部は前記長手方向中心線に関しほぼ対称であり、その先端が前記ライン孔より前方にあることを特徴とする釣用ルアー。
【請求項２】
前記板状体の前記膨らみのある側と同じ側の面の両側縁の少なくともいずれか一方に面取りが施されている請求項1に記載の釣用ルアー。
【請求項３】
前記板状体が、均一な厚みの金属板をプレス成型して製造された請求項1または請求項２に記載の釣用ルアー。
【請求項４】
前記板状体が、金属材料をダイキャスト成型して製造された請求項1または請求項２に記載の釣用ルアー。
【請求項５】
前記板状体が、樹脂とタングステン粉末とを含み比重７〜１２の樹脂組成物により製造された請求項1または請求項２に記載の釣用ルアー。
【発明の詳細な説明】
【技術分野】
【０００１】
この発明は釣用ルアーに関する。
【背景技術】
【０００２】
釣用ルアー（以下ルアー）の一種としてスプーンと呼ばれるものが広く用いられている。スプーンは金属板を食器のスプーンの先のような形状に湾曲させた疑似餌であり、そのスプーン形状の尖った方にあるライン孔にライン（釣り糸）を取り付け、丸い方にフック（釣り針）を取り付けて用いられている。スプーンを水中に投げ込んでリールの巻取り等により手元に引き寄せる操作を行うと、湾曲して膨らみのある面を下に向けた姿勢となる。そして、スプーンは水の抵抗を受けてライン孔を中心に振り子のように左右に振れ動き（以下、振動という）あるいは回転運動する。このようなスプーンの動きを小魚の動きに似せることにより、サケ、マス等の捕食性の魚の疑似餌として機能する。
【０００３】
従って、スプーンの水中での動きを制御することは疑似餌としての機能を高める上で重要であり、これまでにも種々の提案がされている。例えば、特許文献１には、板状のボディと、このボディの一方の端部に設けられたラインを連結するジョイントと、前記ボディの他方の端部に設けられたフックを連結するジョイントとを有するキャスティング用具において、板状のボディのラインを連結する側の前部とフックを連結する側の後部との双方であって、ラインとフックをそれぞれ連結した位置を結ぶ線の両側の縁に、それぞれボディの厚み方向に折り起こされた起立辺を有することを特徴とするルアー等のキャスティング用品が開示されている。
【特許文献１】特許第３５１６６６２号公報（段落００１０〜００１５、図４）
【発明の開示】
【発明が解決しようとする課題】
【０００４】
特許文献１のルアーは、低速で手元に引き寄せても自然なアクション（運動）が得られ、目標とする魚の捕食活動を刺激することができるものである。しかし、特許文献１に開示されたルアーや従来のスプーンは、いずれもスプーン形状の尖った方にラインを取り付ける構造のため下記の２点の問題がある。
【０００５】
第１に、重心が後ろ寄りにあるので、スプーンは水中で後下がりの姿勢となる。このため、スプーンを手元に引き寄せる操作を行なうと、スプーンは水の抵抗を受けて水面に向けて浮き上がる方向へ動く。この結果、スプーンは目的とする魚がいる層から外れてしまうことになる。この問題は、流れの速い河川での釣り場で起こりやく、また湖沼等の止水域の釣り場でも、スプーンを魚の活性に合う様、活発に運動させるために手元に引き寄せる速度を速くしたときに起きる。
【０００６】
第２に、スプーンの後ろ寄りの方が大きく水の抵抗も大きいため、スプーンがライン孔を中心に左右に振動するときその振幅が小さくなり、スプーンの動きが変化しても、その変化がラインに表れにくいという問題がある。この問題は、近年の釣り方の進歩により注目されている。
【０００７】
従来の釣り方では、魚がスプーンをくわえてから前後左右に動く動作を「あたり」として感じ、次いで釣竿を立てたりリールを巻いたりする「合わせ」を行なっていた。しかし、魚が前後左右に動くのは、最初にスプーンをくわえた次の動作であり、大半の魚はこの動作の途中でスプーンを口から離してしまうため、取り逃がしてしまうことが多かった。
【０００８】
そこで最近は、ラインにより水面に生じる波紋の変化を観察して、魚が最初にスプーンをくわえた瞬間を検知する釣り方が止水域の釣場で一般化してきている。より詳しくは、スプーンを一定速度で手元に引き寄せるとき、前記のようにスプーンはライン孔を中心に一定周期で振動するので、このスプーンの振動に伴ってラインが水面に没する点から一定パターンの波紋が発生する。魚がスプーンをくわえると前記のスプーンの振動の周期が乱れ、波紋のパターンにも乱れが生じるので、波紋を観察することによって魚がスプーンをくわえたことを検知できる。そして、魚がスプーンをくわえた瞬間に「合わせ」を行なうことにより、釣果を上げることができる。
【０００９】
このような釣り方では、スプーンの動きの変化により明瞭な波紋の変化が生じることが重要である。しかし、前記のように、従来のスプーンは後ろ寄りの方が大きいのでその動きの変化がラインに表れにくく、波紋の変化を見分け難いため、最近の釣り方には適さないものである。
【００１０】
上記の２点を解決するため、本発明は水面に向けて浮き上がり難く、またルアーの動きの変化がラインに表れやすく波紋の変化を見分け易いルアーを提供することを課題とする。
【課題を解決するための手段】
【００１１】
前記課題を解決した本発明のルアーは、細長形状の板状体の前端側にライン孔を有し、後端側にフック孔を有する釣用ルアーであって、ライン孔およびフック孔は板状体の長手方向中心線上に形成され、板状体は、板状体が厚み方向の一方に湾曲した膨らみを有し、膨らみの最も膨らんだ部分が長手方向中心線上の前端寄りに位置するとともに、前端から後端に向かうに従い幅が縮小し、さらに板状体の前端側が厚み方向で膨らみのある側と同一方向に折り曲げられた一対の突起部を備え、突起部は長手方向中心線に関しほぼ対称であり、その先端がライン孔より前方にあることを特徴とする。
【００１２】
本発明ではさらに、膨らみのある側と同じ側の面の両側縁の少なくともいずれか一方に面取りが施されていることが好ましい。
【発明の効果】
【００１３】
本発明のルアーはスプーンの改良品であり、前端寄りが膨らんだ部分を有するとともに前端から後端に向かうに従い幅が縮小し、さらに前端側に突起部が設けられているので重心はルアーの前端寄りに位置する。また、板状体の前端側に一対の突起部が設けられているので、ルアーが水中で移動するとき、この突起部が水の圧力を受けてルアーの前端側が押し下げられる。このため、流れの速い河川、あるいは止水域でルアーを手元に引き寄せるときでも後ろ下がりの姿勢にならないので水面に向けて浮き上がることはない。
【００１４】
また、ルアーの前端寄りが幅広で、さらに前端寄りが膨らんでいるので、前端側より後端側のほうが小さくなり、ルアーの後端寄りの水の抵抗によるルアー全体の振幅の減少が小さくなる結果、ルアーの動きがラインに表れやすく、波紋の変化を見分け易い。さらに、ルアーの長手方向中心線に関しほぼ対称な一対の突起部を備えているので、ルアーがライン孔を中心に振動したとき、突起部が受ける水の抵抗が左右で異なり、さらに振幅が大きくなる方向に力を受ける結果、ラインはルアーと共に左右に振れる。これによってもルアーの動きがラインに表れやすく、波紋の変化を見分け易くなる。
【００１５】
ルアーの板状体の膨らみのある側と同じ側の面の両側縁の少なくともいずれか一方に面取りが施されている態様では、ルアーが左右へ動くときの側縁に対する水の抵抗が低下してルアーの動きが速くなるので、より小魚の活発な動作に似た動きとなる結果、対象とする魚の捕食活動を強く刺激することができる。また、ルアーの面が一つ増えることにより、彩色やめっき等の魚を刺激するための加工の自由度が増大する。
【発明を実施するための最良の形態】
【００１６】
図１、図２を参照して本発明の釣用ルアー１（以下ルアー１）について説明する。図１はルアー１の斜視図であり、図２（ａ）はルアー１の側面図、図２（ｂ）は図２（ａ）のＩＩ−ＩＩ断面図である。
ルアー１は、例えば真鍮板等のほぼ均一な厚みの金属板を、プレス成型で湾曲させて製造されている。ルアー１は、一点差線で示す長手方向中心線６上の前端２側に釣り糸が取り付けられるライン孔４を有し、後端３側に釣り針が取り付けられるフック孔５を有する。
【００１７】
なお、以下の説明ではルアー１の長手方向中心線６に沿って後端３から前端２に向かう方向を前方（図１の矢印Ｘ）、長手方向中心線６と直交する方向を幅方向といい（矢印Ｙ）、長手方向中心線６および幅方向と直交し、図１の紙面下方に向かう方向を下方という(矢印Ｚ)。
【００１８】
ルアー１は、ルアー１を構成する金属板が厚み方向の一方（図１では矢印Ｚで示す下方）に湾曲した膨らみを有し、その最も膨らんだ部分１６が長手方向中心線６上の前端２寄りに位置し、前端２から後端３に向かうに従い幅が縮小している。厚み方向に湾曲した膨らみは、プレス成型により金属板を湾曲させて形成されている（図２（ｂ）参照）。ルアー１の前端２側には、厚み方向で前記膨らみのある側と同一方向（矢印Ｚ）に折り曲げられた一対の突起部７ａ，７ｂを備える。突起部７ａ，７ｂは長手方向中心線６に関しほぼ対称であり、その先端１７はライン孔４より前方にある。すなわち、突起部７ａ，７ｂはライン孔４に対して前方斜め下方に突き出している。さらに、ルアー１を構成する金属板の膨らみのある側と同じ側の面、すなわち下面の左右両側縁８ａ，８ｂには面取り９ａ，９ｂが施されている。
ルアー１は、対象とする魚の種類に応じて異なる質量、寸法のものが用いられる。典型的には、質量１〜３０ｇ、全長１５〜７０ｍｍの範囲のものが用いられている。なお、前記のように、スプーン型のルアーは水中で湾曲して膨らみのある面を下に向けた姿勢となる。
【００１９】
次に、ルアー１の各部について説明すると、まずライン孔４およびフック孔５は各々長手方向中心線６に沿って前端２および後端３から１〜数ｍｍの間隔をおいて形成されている。ルアー１を使用するときには、ライン孔４およびフック孔５にリング、スナップまたはより戻しを介してラインおよびフックが取り付けられる。なお、図１、図２ではリング、スナップ、より戻し、ラインおよびフックは省略している。
【００２０】
また、ルアー１の長手方向中心線６上の膨らみの最も膨らんだ部分１６は前端２寄り、すなわちライン孔４とフック孔５の中間よりもライン孔４に近い側に位置している。本発明では、重心がルアー１の前端２寄りになるように、従来のスプーン形状のルアーにも見られる最も膨らんだ部分１６をこのように配置している。従って、最も膨らんだ部分１６はライン孔４に近いほど好ましい。
【００２１】
ルアー１の幅は、前端２から後端３に向かうに従い縮小し、全体として角の丸い三角形状を呈する。また、ルアー１の幅と全長の比はルアー１の質量に応じて変える事が好ましく、例えば２．５ｇの比較的軽いルアー１の場合は幅：全長＝１：２．１であり、３０ｇの比較的重いルアー１の場合は１：２．５である。
【００２２】
突起部７ａ，７ｂの外縁１４ａ，１４ｂは、ライン孔４を通り長手方向中心線６に対して直交する線が、左右の側縁８ａ，８ｂと交差する点より数ｍｍだけ後端３に寄った位置から、左右の側縁８ａ，８ｂの延長線に沿ってライン孔４に対して前方斜め下方に向けて延び出している(図２（ａ）参照)。また突起部７ａ，７ｂの内縁１５ａ，１５ｂは、前端２から長手方向中心線６に関してほぼ対称にライン孔４に対して前方斜め下方に向けて延び出している。本実施形態では、内縁１５ａ，１５ｂのなす角度は鈍角である。また、突起部７ａ，７ｂは、いずれもほぼ三角形の平板状である。このように突起部７ａ，７ｂは前方斜め下方に向かって突き出しているので、水の抵抗を受けたとき下方に押される結果、ルアー１が後ろ下がりの姿勢にならず、水中を移動するルアー１が水面に向け浮き上ることが防止される。また、ルアー１を手元に引き寄せる操作によりルアー１がライン孔４を中心に振動したとき、ライン孔４に対して前方斜め下方に向けて延び出す突起部７ａ，７ｂが受ける水の抵抗が左右で異なり、さらに振幅が大きくなる方向に力を受ける結果、ラインはルアー１と共に左右に振れる。
【００２３】
さらに、ルアー１を構成する金属板の下面の左右両側縁８ａ，８ｂには面取り９ａ，９ｂが施されている（図１では９ｂの位置を仮想線で示している）。本実施例では、面取り９ａ，９ｂは左右両側縁８ａ，８ｂを約４５度の角度でルアー１の厚みの約２／３まで研磨して行なっている。このように面取り９ａ，９ｂを施すことにより、ルアー１の動きを小魚の活発な動作に似た動きとすることができるとともに、この面に鮮明な彩色やメッキ等の加工を施せば、対象とする魚を強く刺激することができる。
また、金属板の下面の左右両側縁８ａ，８ｂのいずれか一方にだけ面取り９ａまたは９ｂを施すこともできる。この場合、ルアー１が受ける水の抵抗が左右両側縁で異なることになり、両方に面取り９ａ，９ｂを施したときと比較して、ルアー１を手元に引き寄せる速度が相対的に低速でも振動を始める等の複雑な動きが得られ、これにより対象とする魚の捕食活動を刺激することができる。
【００２４】
次に、図３、図４を参照してルアー１の水中の動きについて説明する。図３（ａ）は水中でのルアー１の浮き上がりの様子を示し、図３（ｂ）は従来のルアー１１の浮き上がりの様子を示す模式図であり、水中のルアー１，１１を横方向から見ている。図４（ａ）はルアー１の水中での振動の様子を、図４（ｂ）は従来のルアー１１の水中での振動の様子を示す模式図であり、水中のルアー１，１１を水面上斜め上から見ている。
【００２５】
ルアー１は、前端２寄りに最も膨らんだ部分１６があり、前端２から後端３に向かうに従い幅が縮小し、さらに前端２側に、前方斜め下方に向けて突き出す突起部７ａ，７ｂを有するので、その重心は前端２寄りに位置する。このため、図３（ａ）に示すようにラインＬを矢印Ｃ方向に引いてルアー１を手元に引き寄せる操作を行なったとき、ルアー１は後ろに傾いた姿勢にならず、ほぼ水平の姿勢をとる。そして、ルアー１をさらに手元に引き寄せても（矢印Ａ方向）、水平の姿勢を維持したまま水中を移動して、対象とする魚がいる層１０より浅い位置に浮き上がることは無く、いわゆるタナを外すことが無いので、常に対象とする魚を刺激することができる。
【００２６】
これに対して、従来のルアー１１は後端３寄りに重心があるので、図３（ｂ）に示すようにルアー１１を手元に引き寄せる操作中も後ろに傾いた姿勢をとる。引き続きルアー１１を手元に引き寄せる操作（矢印Ｂ方向）を行うと、後傾姿勢を維持したまま水中を移動して、対象とする魚がいる層１０より浅い位置に浮き上がってしまい、タナを外した状態となるので、対象とする魚を刺激することができなくなる。
【００２７】
従来のルアー１１は、止水域で使用したとき浮き上がるばかりでなく、流れの速い河川で重いルアー１１を使用した場合でも流速により浮き上がるという問題がある。しかし、本発明のルアー１は、前記のように水中で水平な姿勢を維持するので、流れの速い河川で使用した場合でも浮き上がりが防止される。
【００２８】
次に、図４を参照してルアー１の水中での振動について説明する。
前記のように、本発明のルアー１は後端３寄りの水の抵抗が小さいため、ライン孔４を中心とした振動の振幅が大きい。また、ライン孔４に対して前方斜め下方に向けて延び出す突起部７ａ，７ｂが水の抵抗を受けることによりラインＬがルアー１と共に左右に振れるため、ラインＬを矢印Ｃ方向に引き一定速度で手元に引き寄せる操作を行うと、ルアー１は図４（ａ）に示すように仮想線で示す移動中心線Ｍに対して一定周期で蛇行するようにして移動する。
【００２９】
このルアー１の動きに伴いラインＬが水中に没する点１２から一定のパターンの波紋１３が生じて徐々に消滅するとともに、ラインＬの移動に伴い新たな波紋１３が次々と生じていく。このとき、ルアー１の振動の振幅が大きいため、波紋１３の波の振幅も大きくなる。このため、ルアー１の動きの変化がラインＬに表れやすい。また、ルアー１は一定周期で蛇行するようにして移動するため、一旦生じた波紋１３と、その後生じた波紋１３との重なり合う部分が小さく干渉が生じにくいので、干渉による波紋１３の消滅は生じにくい。
【００３０】
このように、ルアー１により生じる波紋１３は波の振幅が大きく、また干渉が生じにくいので明瞭で見やすい。特に、ラインＬの移動速度が遅い蛇行の曲がり部分で明瞭な波紋１３が生じやすい。そして、魚がルアー１をくわえ、ルアー１の動きが乱されたとき、ルアー１の動きの変化がラインＬに表れやすいので、波紋１３の変化が明瞭で見分け易い。
【００３１】
これに対し、従来のルアー１１は、重心が後ろ寄りにあり、またライン孔に対して前方斜め下方に向けて延び出す突起部が無いため、本発明のルアー１のようにラインＬを左右に振らせる効果は小さい。このため、ラインＬを矢印Ｃ方向に引き手元に一定速度で引き寄せる操作を行うと、ルアー１１は図４（ｂ）に示すようにほぼ直線に沿って動く。また、前記のようにルアー１１は後ろ寄りの方が大きいため、ルアー１１の振動の振幅は小さい。このため、従来のルアー１１で生じる波紋１３は、本発明の場合と比較すると波の振幅が小さく、また直線に沿って発生する波紋１３が重なり合って干渉して波紋１３が消滅しやすいため、不明瞭なものとなる。以上の理由から、従来のルアー１１では動きの変化がラインＬに表れにくく、また不明瞭なため魚がルアー１１をくわえたときの波紋１３の変化を見分けにくい。
【００３２】
以上、本発明のルアー１について実施の形態に基づき説明したが、本発明はこれに限定されず適宜変更して実施することができる。
例えば、ルアー１は真鍮板以外に、例えばステンレス板、アルミ板等を用いて製造することもできる。あるいはプレス成型に替えてダイキャスト成型でルアー１を製造してもよい。
【００３３】
ルアーを均一な厚みの金属板をプレス成型して製造する場合は、従来のスプーンと比較して簡易な装置で製造でき、製造コストを下げることができる。すなわち、従来のスプーンは水中での動きを制御するために厚みを変化させたものが多い。このようなスプーンは冷鍛造やダイキャスト等で製造されるため、金型製作費が高く製作工程も長くなるので、製造コストもプレス成型より高価である。
一方、ダイキャスト成型の場合、大量生産することで１個当たりのコストを下げられるほか、面取り工程を省略することができる。また、釣果の優れたルアーがあれば、これを原型とした放電加工で金型を作製することにより、大量に複製することができる。
【００３４】
面取り９ａ，９ｂの角度と面取りを施す範囲は、ルアー１の水中での動きを見て適宜変更することができるのであるが、発明者らが知見したところによれば、前述した部位に面取りを施すことが、ルアー１の動きを小魚の活発な動作に似せた動きにする上で特に効果が高い。
【００３５】
また、ルアーを樹脂とタングステン粉末とを含む樹脂組成物で製造することもできる。この場合、鉛を用いずに高比重のルアーを製造することが可能になり、鉛による環境汚染を防止できる。この樹脂組成物の比重は、釣具の材料として一般的な亜鉛（比重約７）から鉛（比重約１２）の範囲内であることが好ましい。タングステン粉末には、鉛より比重が大きいタングステンまたはタングステンカーバイドの粉末を用いることが好ましく、このほか銅、鉄等の金属粉末を用いることもできる。樹脂は熱硬化性、熱可塑性のいずれでもよい。この樹脂とタングステン粉末の混合比を適宜調整して所望の比重の樹脂組成物とし、公知の成型方法でルアーを製造する。例えば、タングステン９５質量％と６−ナイロン６５質量％を混合し、射出成型により比重１０．７のルアー１を製造することができる。
【図面の簡単な説明】
【００３６】
【図１】ルアーの斜視図。
【図２】図２（ａ）はルアーの側面図であり、図２（ｂ）は断面図である。
【図３】ルアーの浮き上がりの様子を説明する模式図であり、図３（ａ）は本発明のルアー、図３（ｂ）は従来のルアーの浮き上がりの様子を示す。
【図４】ルアーの振動の様子を説明する模式図であり、図４（ａ）は本発明のルアー、図４（ｂ）は従来のルアーの振動の様子を示す。
【符号の説明】
【００３７】
１    釣用ルアー（板状体）
２    前端
３    後端
４    ライン孔
５    フック孔
６    長手方向中心線
７ａ，７ｂ    突起部
８ａ，８ｂ    側縁
９ａ，９ｂ    面取り
１６  膨らんだ部分
１７  先端
【図１】
0004468917.tif 000002
【図２】
0004468917.tif 000003
【図３】
0004468917.tif 000004
【図４】
0004468917.tif 000005